(57)【要約】【課題】歩行用杖、スキーのストック、ハイキング用杖等の握りのためのストラップの固定、迅速な解除、安全な取り外し、および調節装置を実現することを目的とする。【解決手段】本発明は、歩行用杖、スキーのストック、ハイキング用杖等の握り部のためのストラップの固定、迅速な解除、安全な取り外し、および調節に用いる装置に関する。この装置は、ストラップ（３）が巻き付けてあるバックル（２）と、ストラップの２つの端部分の一方（６）の近くに一体的に固着された楔（４）とを備える形式である。この装置は、それがバックル（２）ばかりでなく、迅速な解除および安全装置も独特に構成されていることを特徴とする。【選択図】図１
2005013739.tif 000002
【特許請求の範囲】
【請求項１】
歩行用の杖、スキーのストック、ハイキング用の杖等の握り部に適用されるストラップの固定、迅速な解除、安全な取り外し、かつ調節に用いる装置であって、前記ストラップ（３）が巻き付けてあるバックル（２）と楔（４）とを備え、前記楔が、その上部表面（５）によって、上述の前記ストラップの２つの端部分の一方（６）の近くに一体的に固着され、かつ前記楔の下部固定表面（７）によって、前記ストラップの他方の端部分（８）上に着脱自在に係合する形式の装置であって、
前記バックル（２）が、通し片（１１）を含むＵ字状箱形本体（１０）を備え、当該バックル（２）は基部（１２）を備え、当該基部の底部に突出歯状部（１３）を有し、前記基部が肩部（１４）に連結し、前記肩部のそれぞれは、その上部に可撓性タブ（１５）を備え、前記本体が前記握り部の本体（１７）に形成され対応する座部（１６）の内側に正確に挿入され、前記座部（１６）中に配設され対応する切込み部（１８）に挿入される前記歯状部（１３）によって、確実に前記バックル（２）が前記バックルの握り部に固着され、前記座部自体への前記バックルの挿入工程時に受けた（前記座部の上部（１９）に対する）弾性的な圧縮変形によって予め負荷がかかっている前記可撓性タブ（１５）の対照的な押圧作用によって、前記歯状部が定位置に保持されることを特徴とする装置。
【請求項２】
使用者によって規定された前記ストラップの調整された長さを固定しかつ維持するために前記楔（４）の固定が、上述の前記バックルを規制する前記座部（１６）の壁と相互作用することなく、前記バックル（２）の前記本体に上述の前記楔を直接固定することにより実現されることを特徴とする、請求項１に記載の装置。
【請求項３】
前記楔（４）と前記バックル（２）との間の前記固定が、前記楔から側面方向に突出するキー（２０）によって実現され、当該キーが、前記バックルの前記肩部（１４）に形成され対応する細穴（２１）に滑入して係合し、長さ調節操作時に前記楔が使用者によって内側に引っ張られたとき、前記キーが前記対応する細穴（２１）に入り込み、所望の固定を確実にする構成を有することを特徴とする、請求項２に記載の装置。
【請求項４】
前記ストラップの一方の端部分（６）または両方の端部分（６）および（８）に対して作用して、前記基部（１２）を持ち上げるよう処理すべく上向きに引っ張り、前記歯状部（１３）を前記切込み部（１８）から外すのに必要な程度に、前記可撓性タブ（１５）の反発に打ち勝つことによって、解除が実現されることを特徴とする、請求項３に記載の装置。
【請求項５】
前記ストラップの異常な動きまたは激しい歪みが生じると、前記握り部からの前記ストラップの取り外しを自動的に実現する安全解除部を備えることを特徴とする、前記請求項の何れかに記載の装置。
【請求項６】
前記バックル（２）の最外部で基部（２３）と共に枢動するレバー（２２）を有する通し片を備え、当該通し片は、前記装置が作動しなければならないときに、使用者が前記ストラップの一部（２４）の上方に位置決めできるように、または、使用しないときには、反対に、前記一部の下方に配置するか、もしくは取り外すことができることを特徴とする、請求項５に記載の装置。
【請求項７】
前記通し片（２３）が作動位置にあるとき、前記ストラップの実質的な上向きの角変位に伴う異常な引っ張りが発生すると、前記ストラップの一部（２４）が、前記通し片のピン（２５）に対して作用し、当該ピンを持ち上げ、その結果として前記基部（１２）が持ち上がり、したがって前記握り部からの前記バックルの自動的な解除が実現することを特徴とする、請求項６に記載の装置。
【発明の詳細な説明】
【技術分野】
【０００１】
本発明は、請求項１の一般部分にしたがう、歩行用の杖、スキーのストック、ハイキング用の杖等のためのストラップ（帯紐）の固定、迅速な解除、安全な取り外し、かつ調節に用いる装置に関する。
【背景技術】
【０００２】
よく知られているように、歩行用の杖、ハイキング用の杖、およびスキーのストックには、その握り部に取り付けられたストラップが備わっており、このストラップは、通常の使用において、使用者がこの用具自体を固く握りかつ保持しなくても済むように、用具を握る手の手首に巻き付けられる。
【０００３】
通常、ねじによってストラップを握り部に取り付け、他方でストラップを閉じ、サイズを調節するために、バックルまたはベルクロ（登録商標）ファスナと組み合わせたバックルを使用する。
【０００４】
このような装備は、構造上の技術的な単純さとは対照的に、ストラップのサイズ調節操作を行うとき及びストラップの迅速な固定／解除操作を行うときに、使用者にとって困難を引き起こす欠点がある。
【０００５】
現況技術では、締め金または楔によって固定可能な、握り部本体と一体型または別体型バックル、迅速ファスナ装着型または非装着型バックル、ストラップの長さ調節可能型または調節不能型バックルなどの様々な形式の構造的な解決策を予め示す、ストラップの固定および調節装置が知られている。
【０００６】
例として次のような特許文書を引用する。すなわち、欧州特許出願公開第Ａ  ００９１９１４７号明細書、欧州特許出願公開第０１０３６５７９Ａ号明細書、米国特許第５４４３２８７号明細書、独国特許出願公開第１９６３７２１８Ａ号明細書、独国特許出願公開第１９６３６８５２Ａ号明細書、欧州特許出願公開第０９５８００９Ａ号明細書、米国特許第４２８８１００号明細書、独国特許出願公開第４１０３２３５Ａ号明細書、米国特許第４２８８１０１号明細書、独国特許出願公開第４２３４５１５３Ａ号明細書、仏国特許出願公開第２７９２５３９Ａ号明細書、仏国特許出願公開第２６６３８７８Ａ号明細書、米国特許第５３２８２０５号明細書、独国特許出願公開第４２３５１５３Ａ号明細書である。これらには、内部に調節用および装着用機構が組み込まれているので、これらの握り部を実現するには一定の複雑さを要する固定システム、あるいは、迅速な解除ができないシステムが説明されている。
【０００７】
本出願人の２００１年１２月４日出願の特許出願第ＶＩ２００１Ａ０００２０７号明細書には、ストラップが巻き付けてあるバックルと楔とを備え、それらはストラップ自体の端部に取り付けられ、前記バックルは可撓性の基部を有し、その基部の底部には歯状部が備わり、この歯状部は、装置が固定モードにあるとき、この装置を収容するために握り部本体に形成した座部中にある対応する切込みの中に嵌ることを特徴とする、ストラップの固定および調節装置を実現することが説明されている。
【０００８】
このような装置は、同様の知られた製品に対して革新的な解決策を構成するが、座部の壁に対する楔の押圧作用によって確実に固定するものであり、したがって、楔を僅かに引き出す必要がある解除の際に、ストラップの「調節」が失われ、また安全な解除システムも予め示されていないという欠点がある。
【発明の開示】
【発明が解決しようとする課題】
【０００９】
本発明の目的は、以上に説明したものと同様の構造であるが、その典型的な欠点を有することがない、歩行用杖、スキーのストック、ハイキング用杖等の握り部のためのストラップの固定、迅速な解除、安全な取り外し、かつ調節に用いる装置を実現することである。
【課題を解決するための手段】
【００１０】
本発明は、添付の図面表の助けを借りて、例示的かつ非限定的な例としてのみ供する本発明の可能な実施形態の説明によってさらに適切に規定されている。
【発明を実施するための最良の形態】
【００１１】
各図に示されるように、ストラップの固定、解除、および調節装置は、全体的に参照符号１によって示されており、当該装置１は、ストラップ３が巻き付けてあるバックル２と楔４とを備え、この楔は、その上部表面５によって、ストラップ自体の２つの端部分の一方の端部分６の近くに一体的に固着され、かつその下部固定表面７によって、前記ストラップの他方の端部分８上に着脱自在式に係合する。
【００１２】
本発明の第１の新規な特徴は、Ｕ字状箱形本体１０からなるバックル２に関し、この本体１０は、通し片（貫通材）１１を含み、突出歯状部１３を底部に有する基部１２を備え、この基部は上部に可撓性タブ１５を有する肩部１４に連結する。前記本体は、握り部の本体１７に形成され（本体１０に）対応する座部１６の内側に正確に挿入される。
【００１３】
座部１６中に配設され（歯状部１３に）対応する切込み部１８の中に嵌る歯状部１３によって、確実にバックル２が当該バックルの握り部に固着される。前記歯状部は、バックルを座部自体の中に挿入する工程時にタブが受けた（前記座部の上部１９に対する）弾性的な圧縮変形によって予め負荷がかかっている可撓性タブ１５の対比的な押圧作用によって定位置に保持される。
【００１４】
本発明の第２の新規な特徴は、使用者によって規定されたストラップの調節された長さを固定しかつ維持するための楔４の固定システムに関し、それは、バックル２の本体に前述の楔を固定することによって、したがって収容座部１６の壁と相互作用しないで有利に実現する。
【００１５】
このような固定は、楔４から側面方向（横方向）に突出し、バックル２の肩部１４に形成し（キー２０に）対応する細穴２１に滑入して係合するキー２０の間で実現する。
操作に際して、いわゆる「楔固定」を基本的に使用する装置すべてに共通の過程に伴って行われる使用者によるストラップの長さ調節では、楔４を内側に向かって引っ張るが、装置の構造によって、その側部キー２０が対応する細穴２１の中に入り込み、よって楔自体をバックル２の内部に望ましく固定するように決定される。使用時には、この組立体の機構によって、ストラップに対する手首による引っ張りと楔の保持しようとする押圧力との間に確実な反作用が確保され、それによって安定的にかつ「自動的に」ストラップがバックル自体に固定される。
【００１６】
このような構造的な解決策では、バックルの解除が単純化され、さらに、まず第１に両手を使って座部から楔を引き出し、次いで前記バックルを固定座部から取り外すために、握り部から突き出すバックル部分を持ち上げねばならなかった使用者によって、手動で実行されていた類似操作よりも迅速になる。
【００１７】
反対に、本発明による迅速な解除システムでは、使用者は、その手の指でストラップの一方の端部分６または両端部分６、８を掴んで上向きに引っ張り、おそらくは親指を握り部の頂部において枢動（回動）し、可撓性タブ１５の反発に打ち勝って、歯状部１３を切込み部１８から外すのに必要な程度に、基部１２を持ち上げるべく処理するだけでよい。
【００１８】
本発明の第３の新規な特徴は安全な解除システムに関し、それは、杖の異常な動きまたは激しい歪みが生じると、握り部のストラップの取り外しが自動的に実現する。構造的には、このように迅速な解除システムは、装置が作動しなければならないときに、使用者がストラップの一部２４の上方に位置決めできるように、または使用されていないときには、反対に、前記一部の下方に配置するか、もしくは取り外しができるように、バックル２の最外部で基部２３と共に枢動するレバー２２を有する通し片（貫通材）を備える。
【００１９】
この通し片２３が作動位置にあるときに、例えば、使用者の転倒の結果として、ストラップの実質的に上向きの角変位に伴う異常な引っ張りが発生すると、ストラップの一部２４が前記通し片のピン２５に対して作用し、ピン２５を持ち上げるが、その結果として基部１２が持ち上がり、したがってバックルの解除が実現し、手をストラップと一緒に握り部および杖全体から自動的に取り外す。
【００２０】
また機能上、使用者が安全解除を望まないときは、使用者はピン２５をバックルから取り外すだけでよく、またおそらくはピンをストラップ３の下側に位置決めするように配置し直すだけでよい。
【００２１】
当然であるが、説明したものとは異なるバックルと楔の両方の実施形態も、添付の特許請求の範囲に記載されている構造および動作上の特徴を損なうことなく同様に可能である。
【図面の簡単な説明】
【００２２】
【図１】（テーブルＩ）本発明による装置を示す立面断面図である。
【図２】（テーブルＩＩ）図１にしたがう本装置を示す斜視断面図である。
【図３】（テーブルＩＩＩ）図１にしたがう本装置を示す外側立面図である。
【図４】（テーブルＩＶ）ストラップを割愛した、図２にしたがう本装置を示す斜視断面図である。
【図５】（テーブルＶ）ストラップを割愛した、本発明による装置の上部を示す分解組立斜視図である。
【図６】（テーブルＶ）ストラップを割愛した、本発明による装置の下部を示す分解組立斜視図である。
【図７】安全解除システムが作動位置にある状態で、ストラップを割愛した、本発明による装置を示す外側斜視図である。
【図８】安全解除システムが作動位置にある状態でストラップを割愛した、本発明による装置を示す外側斜視図である。
【符号の説明】
【００２３】
１  装置
２  バックル
３  ストラップ
４  楔
５  楔の上部表面
６  ストラップの一方の端部
７  楔の下部固定表面
８  ストラップの他方の端部
１０  Ｕ字状箱形本体
１１  通し片
１２  基部
１３  突出歯状部
１４  肩部
１５  可撓性タブ
１６  握り部の座部
１７  握り部の本体
１８  切込み部
１９  座部の上部
２０  キー
２１  細穴
２２  レバー
２３  レバーの通し片
２４  ストラップの一部
２５  レバーのピン
【図１】
2005013739.tif 000003
【図２】
2005013739.tif 000004
【図３】
2005013739.tif 000005
【図４】
2005013739.tif 000006
【図５】
2005013739.tif 000007
【図６】
2005013739.tif 000008
【図７】
2005013739.tif 000009
【図８】
2005013739.tif 000010